(57)【要約】【課題】画像入出力制御装置において、出力対象画像の選択作業や選択画像の確認作業を容易に行なうことができるようにする。【解決手段】画像取込部１１２は、記録メディア２０２などから画像を取り込む。指示受付部１２８は、画像取込部１１２が取り込んだ画像中の出力対象画像や出力順の指示を、操作部２４を介して受け付ける。出力順設定部１２３は、指示受付部１２８が受け付けた情報に基づき、出力対象画像やそのサムネイル画像の出力順を決定し、画像処理部１１４や表示制御部１２６に設定する。画像処理部１１４や表示制御部１２６は、この設定された出力順の情報に従って出力対象画像の配列順を並び替える。この並替え処理は、画像取込部１１２にて取り込んだ複数の画像の全てや指示受付部１２８が受け付けた指示に従った出力対象の画像をインデックスプリントやワレットプリントにして出力する際にも同様に行なう。【選択図】図４
2008141778.tif 000002
【特許請求の範囲】
【請求項１】
所定の画像入力ソースから画像を取り込み、この取り込んだ画像を所定の画像出力ソースにて出力する画像入出力制御方法であって、
前記画像入力ソースから取り込んだ全ての画像を出力対象とするか、選択された画像を出力対象とするかの指示を受け付け、
前記画像入力ソースから取り込んだ複数の画像のうちの前記指示に従った出力対象の画像を、前記画像出力ソースの１つの出力媒体上に並べて出力する
ことを特徴とする画像入出力制御方法。
【請求項２】
所定の画像入力ソースから画像を取り込み、この取り込んだ画像を所定の画像出力ソースにて出力する画像入出力制御装置であって、
前記画像入力ソースから取り込んだ全ての画像を出力対象とするか、選択された画像を出力対象とするかの指示を受け付ける指示受付部と、
前記画像入力ソースから取り込んだ複数の画像のうちの前記指示受付部が受け付けた指示に従った出力対象の画像を、前記画像出力ソースの１つの出力媒体上に並べて出力させる出力順設定部と
を備えたことを特徴とする画像入出力制御装置。
【請求項３】
前記出力対象の画像を表示出力する前記画像出力ソースとしての表示デバイスを制御する表示制御部を備え、
前記出力順設定部は、前記表示デバイスにおける前記出力順を並び替えるように前記表示制御部を制御する
ことを特徴とする請求項２に記載の画像入出力制御装置。
【請求項４】
前記出力順設定部は、前記指示受付部が選択指示を受け付けた前記出力対象画像の選択順に従って、前記出力順を並び替えさせる
ことを特徴とする請求項２に記載の画像入出力制御装置。
【請求項５】
前記画像出力ソースとしての、前記出力対象の画像を指定された枚数だけ所定の印刷媒体上に出力する画像形成部を備え、
前記指示受付部は、前記出力対象として選択された画像の前記画像形成部による出力数の指示を受け付け、
前記出力順設定部は、前記指示受付部が指示を受け付けた前記出力数の順に従って、前記出力順を並び替えさせる
ことを特徴とする請求項２に記載の画像入出力制御装置。
【請求項６】
前記出力対象の画像を表示出力する前記画像出力ソースとしての表示デバイスを制御する表示制御部を備え、
前記出力順設定部は、前記表示デバイスにおける前記出力順を並び替えるように前記表示制御部を制御する
ことを特徴とする請求項５に記載の画像入出力制御装置。
【請求項７】
所定の画像入力ソースから画像を取り込み、この取り込んだ画像を所定の画像出力ソースにて出力する処理をコンピュータを用いて実行するためのプログラムであって、
コンピュータを、
前記画像入力ソースから取り込んだ全ての画像を出力対象とするか、選択された画像を出力対象とするかの指示を受け付ける指示受付部と、
前記画像入力ソースから取り込んだ複数の画像のうちの前記指示受付部が受け付けた指示に従った出力対象の画像を、前記画像出力ソースの１つの出力媒体上に並べて出力させる出力順設定部と
して機能させることを特徴とするプログラム。
【発明の詳細な説明】
【技術分野】
【０００１】
本発明は、画像入出力制御方法および装置並びにプログラムに関する。より詳細には、複数の画像を整理したり、希望の画像のプリント出力を発注する際に用いて好適な画像選択の手法に関する。
【背景技術】
【０００２】
デジタル画像機器の普及に伴い、一般ユーザが端末を用いて、デジタル画像を取り扱う機会が多くなっている。たとえば、従来は、銀塩写真のプリントを発注する場合、撮影済みのフィルムをプリントショップなどの窓口に持っていき、現像や焼付けの依頼を行なった後、指定された日時以降にプリントされた写真を受け取りに行く方法が採られていた。
【０００３】
これに対して、最近では、画像を電子的に取り込むディジタルスチルカメラの登場に伴って、画像データが記録された半導体メモリカードやフレキシブルディスクなどの記録メディアやディジタルスチルカメラ自体をプリントショップなどの窓口に持ち込むといった形態でのプリントサービスが行なわれるようになっている。
【０００４】
本願出願人は、このようなプリントサービスに好適な装置やシステムを提案している（特許文献１〜６を参照）。
【０００５】
【特許文献１】特開２００２−３４２０５８号公報
【特許文献２】特開２００１−９６８１３号公報
【特許文献３】特開２００１−１０９５９２号公報
【特許文献４】特開２００１−２２３３３号公報
【特許文献５】特開２０００−３５５１３９号公報
【特許文献６】特開２０００−３２６５６５号公報
【発明の開示】
【発明が解決しようとする課題】
【０００６】
インデックスプリントやワレットプリントなど１枚の用紙上に複数の画像を割り付けたプリントやメディアへの記録を行なう装置（以下マルチプリント対応の装置ともいう）が存在する。ここで、従来のマルチプリント対応の装置は、フォルダ内の全画像を割り付けてプリントの対象やメディアへの記録の対象とする専用装置、もしくはユーザが選択した選択画像のみを割り付けてプリントの対象やメディアへの記録の対象とする専用装置、の何れかしか提案されていない。
【０００７】
このため、選択画像のみを対象として割り付けてプリントやメディアへの記録をする装置では、全画像を対象として割り付けてプリントやメディアへの記録をすることができず、また全画像を対象として割り付けてプリントやメディアへの記録をする装置では、選択画像のみを対象として割り付けてプリントやメディアへの記録をすることができないので、インデックスプリントやワレットプリントを用いて画像選択や確認の作業を行なう際に、必ずしもユーザが希望するプリントを行なうことができず、使い勝手が悪い。
【０００８】
本発明は、上記事情に鑑みてなされたものであり、画像選択や確認の作業を容易に行なえ、使い勝手がよくなる仕組みを提供することを目的とする。
【課題を解決するための手段】
【０００９】
本発明に係る画像入出力制御方法においては、画像入力ソースから取り込んだ全ての画像を出力対象とするか、選択された画像を出力対象とするかの指示を先ず受け付けてから、画像入力ソースから取り込んだ複数の画像のうちのユーザ指示に従った出力対象の画像を、画像出力ソースの１つの出力媒体上に並べて出力することとした。
【００１０】
なお、この方法に加えて、以下のような付加方法を適用してもよい。すなわち、画像入力ソースから取り込んだ複数の画像の中から選択された画像と選択されていない画像とにソートすることにより該複数の画像を画像出力ソースにて出力する際の出力順を並び替える。この並替えの順としては、たとえば出力対象画像としてユーザが選択した選択順やプリント出力枚数順（昇順／降順は何れでもよい）などを採り得る。また並替えの対象画像は、表示デバイス上の画像であってもよいし、プリント出力上の画像であってもよいし、記録メディアに記録するデータ上の画像であってもよい。さらにこの並替えの時期は、画像選択途中でもよいし、選択終了後であってもよい。
【００１１】
また、本発明に係る画像入出力制御装置は、本発明に係る画像入出力制御方法を実施するのに好適な装置であって、画像入力ソースから取り込んだ全ての画像を出力対象とするか選択された画像を出力対象とするかの指示を受け付ける指示受付部と、画像入力ソースから取り込んだ複数の画像のうちの指示受付部が受け付けた指示に従った出力対象の画像を、画像出力ソースの１つの出力媒体上に並べて出力させる出力順設定部とを備えるものとした。
【００１２】
なお、この装置に加えて、前記付加方法を実施するのに好適な装置、すなわち、画像入力ソースから画像を取り込む画像取込部と、画像取込部が取り込んだ複数の画像の中から画像の選択指示を受け付ける指示受付部と、指示受付部が受け付けた画像と選択されていない画像とにソートすることにより該複数の画像を画像出力ソースにて出力する際の出力順を並び替えさせる出力順設定部とを備えるものを適用してもよい。
【００１３】
また従属項に記載された発明は、本発明に係る画像入出力制御装置のさらなる有利な具体例を規定する。さらに、本発明に係るプログラムは、本発明に係る画像入出力制御装置を、電子計算機（コンピュータ）を用いてソフトウェアで実現するために好適なものである。なお、プログラムは、コンピュータ読取り可能な記憶媒体に格納されて提供されてもよいし、有線あるいは無線による通信手段を介して配信されてもよい。
【発明の効果】
【００１４】
本発明の構成に依れば、全画像を出力対象とするか選択画像を出力対象とするかの指示を先ず受け付けてから、出力対象の画像を１つの出力媒体上に並べて出力することを可能にしたので、出力態様の選択の幅が広がり、顧客サービスが広がり、使い勝手がよくなる。
【発明を実施するための最良の形態】
【００１５】
以下、図面を参照して本発明に係る画像入出力制御装置およびその処理手順の実施形態について詳細に説明する。
【００１６】
＜＜画像出力サービスシステムの構成の概要＞＞
図１は、本発明に係る画像入出力制御装置の一実施形態を備えたシステムの概要を示す図である。この画像出力サービスシステム１は、画像出力サービスを提供する画像出力サービス供給装置２と画像出力サービスを画像出力サービス供給装置２に要求する画像出力発注装置３とが、たとえばＩＳＤＮ（Integrated Services Digital Network ）などのネットワーク９により接続されて構成されている。
【００１７】
画像出力サービス供給装置２は、画像入出力制御装置や画像入力端末としての役割を持っており、たとえば図示しないディジタルスチルカメラなどの画像取得デバイスを用いて所定の記録メディアに電子的に保存された画像をその記録メディアから読み出す。また、画像出力サービス供給装置２は、画像出力端末の役割も持っており、記録メディアから読み出した画像に基づいて、所定の出力媒体上に可視画像もしくは画像データを出力する。
【００１８】
なお、画像入力端末としては、画像出力に供し得る画像データを取得し得るものであればよく、画像出力サービス供給装置２自身に挿入される記録メディアから出力（たとえばプリント）対象の画像を取得することに限らず、たとえばネットワーク９に接続されている他の装置、たとえば他の画像出力サービス供給装置２、パソコン（パーソナルコンピュータ）、カラースキャナ、またはハードディスク装置や光磁気ディスク装置あるいは光ディスク装置などのデータ格納装置、さらにはＦＡＸ装置など、任意数の画像入力ソースを含み得る。
【００１９】
一方、画像出力発注装置３は、画像入出力制御装置の機能を備えるとともに、画像出力サービス供給装置２に対して、画像の出力サービスを要求する。たとえば、所定サイズの印画紙への可視画像のプリント出力を発注する、あるいは、所定の記録メディアへの画像データの記録出力を発注する。
【００２０】
図示するように、画像出力サービス供給装置２および画像出力発注装置３は、それぞれ１台に限らず、複数台がネットワーク９にて相互に接続されていてよい。これら各画像出力サービス供給装置２および画像出力発注装置３は、それぞれたとえばコンビニエンスストアや駅の改札付近などの、ユーザにとって利用し易い街頭に設置される。
【００２１】
たとえば、画像出力サービスシステム１をプリント出力サービスシステムとして構築する場合、各画像出力発注装置３は、ディジタルプリントを発注するための情報をネットワーク９を介してユーザの指定に応じた全ての画像出力サービス供給装置２に送信するように構成される。また、各画像出力サービス供給装置２は、それぞれディジタルプリントを発注するための情報を他の画像出力サービス供給装置２間で相互に送受信するとともに、画像出力発注装置３から送信されるディジタルプリントを発注するための情報を受信するように構成される。
【００２２】
画像出力サービス供給装置２は、筐体２０の上面の奥側上部２０ａに看板２１を備えている。また画像出力サービス供給装置２は、前面の傾斜面部２０ｂに、画像出力装置として稼働させるためのＣＲＴや液晶（ＬＣＤ）あるいは有機ＥＬなどで構成されるソフトコピー出力デバイス（モニタ）２２ａを有するディスプレイ部２２と、種々の規格に応じた記録メディアが挿入されるメディアユニット（図ではａ，ｂ，ｃの３種類）を有するメディアユニット部２３と、画像出力サービス供給装置２を操作するための操作部２４とを備えている。
【００２３】
各メディアユニット部２３には、前面側に、対応する記録メディアに応じた挿入口が設けられている。対応する記録メディアとしては、画像データを記憶し保持可能なものであればよく、画像出力サービス供給装置２や画像出力発注装置３のハードウェア資源に備えられている読取装置（ドライバ）に対して、画像データの記述内容に応じて、磁気、光、電気などのエネルギの変化状態を引き起こして、それに対応する信号の形式で、画像データの記述内容を伝達できるものを利用し得る。たとえば、磁気ディスク（フレキシブルディスク（ＦＤ）を含む）、光ディスク（ＣＤ（Compact Disc）やＤＶＤ（Digital Versatile Disc）を含む）、光磁気ディスク（ＭＤ（Mini Disc ）を含む）、または方式を問わずフラッシュメモリを基本要素とする（好ましくは不揮発性の）半導体メモリやＰＣカードなど、パッケージメディア（可搬型の記憶媒体）として提供されるものであればよい。
【００２４】
また画像出力サービス供給装置２は、筐体２０内部に、課金に関する各種処理を行なう課金処理部２５と、画像をプリント出力するための昇華型のカラーロールプリンタやインクジェットプリンタあるいは電子写真プリンタなどで構成されるハードコピー出力デバイス（プリントエンジン；図ではａ，ｂの２組）を有するプリンタ部２７と、画像出力サービス供給装置２の動作を制御する中央制御部２８とを備えている。
【００２５】
なお、プリンタ部２７として、図ではプリントエンジン２７ａ，２７ｂの２組を示しているが、実際には、たとえば各プリントサイズ３．５×５，４×６，５×７，６×７，８×１０に応じたプリントエンジンが設けられる。また、それぞれのサイズにてプリント出力することに限らず、それぞれの出力サイズの記録媒体（たとえば印画紙）上に複数の画像を配置する、インデックスプリント（Index Print ；後述する図１２を参照）やワレットプリント（Wallets Print ；後述する図１３を参照）を行なうものとしてもよい。
【００２６】
筐体２０の前面側の一部は、その一端側を回転中心として矢印ａ方向に回動自在に開閉する扉２９が設けられている。この扉２９には、筐体２０内部に設けられた課金処理部２５および２つのプリンタ部２７の設置位置に対応して、それぞれコイン投入口２９ａ、紙幣挿入口２９ｂ、コイン払戻口（料金排出口）２９ｃ、あるいは排紙口２９ｄなどが形成されている。これにより、コイン投入口２９ａおよび紙幣挿入口２９ｂ（纏めて料金投入口２９ｚともいう）およびコイン払戻口２９ｃを介して課金処理部２５との間で紙幣や硬貨の投入または取出しを行ない得るとともに、排紙口２９ｄを介してプリンタ部２７との間で印画媒体の取出しを行ない得るように構成されている。
【００２７】
操作部２４は、ディスプレイ部２２の表示面上に設けられたタッチパネル２４ａと、ディスプレイ部２２の周囲に設けられた種々の操作キー（たとえば押圧式のボタン）２４ｂなどから構成されている。
【００２８】
画像出力サービス供給装置２の中央制御部２８は、各部を制御する一般的な制御機能のほか、本実施形態特有の機能部分として、画像の表示出力あるいは印刷出力に関わる処理を行なう機能部分として、筐体２０内部に、画像取込処理機能部分と出力制御機能をなす機能部分（詳細は後述する）とが設けられている。画像取込処理機能部分および出力制御機能部分を備える中央制御部２８は、ディスプレイ部２２やプリンタ部２７とともに、筐体２０内部に、専用もしくは汎用のハードウェアあるいはソフトウェアで組み込むとよい。ソフトウェアで組み込む場合、中央制御部２８を、たとえばパーソナルコンピュータを利用して構築するとよい。
【００２９】
一方、画像出力発注装置３は、筐体３０の上面の奥側上部３０ａに看板３１を備えている。また画像出力発注装置３は、前面の傾斜面部３０ｂに、プリント発注システムとして稼働させるためのＣＲＴや液晶（ＬＣＤ）あるいは有機ＥＬなどで構成されるソフトコピー出力デバイス（モニタ）を有するディスプレイ部３２と、種々の規格に応じた記録メディアが挿入されるメディアユニット（図ではａ，ｂ，ｃ，ｄ，ｅ，ｆの６種類）を有するメディアユニット部３３と、画像出力発注装置３を操作するための操作部３４と、コイン投入口３９ａおよび紙幣挿入口３９ｂ（纏めてコイン投入口３９ｚともいう）やコイン払戻口（料金排出口）３９ｃ、並びにレシート排出口３９ｄを含む課金処理部３５とを備えている。
【００３０】
また画像出力発注装置３は、筐体３０内部に、画像出力発注装置３の動作を制御する図示しない中央制御部３８を備えている。この中央制御部３８は、ディスプレイ部３２やそのほかの機能部分とともに、筐体３０内部に、専用もしくは汎用のハードウェアあるいはソフトウェアで組み込むとよい。ソフトウェアで組み込む場合、中央制御部３８を、たとえばパーソナルコンピュータを利用して構築するとよい。
【００３１】
各メディアユニット３３ａ〜３３ｆに応じたスロット（メディア挿入口）に記録メディアが挿入されると、メディアユニット３３ａ〜３３ｆに内蔵している図示しないドライバを用いてこの記録メディアに記録されている画像を、一旦全て図示しないハードディスク装置に記録しバックアップをとる。この後、ハードディスク装置にバックアップされた記録メディアからの画像データに基づく画像のうち、ユーザによって選択された画像は、ユーザにより指定される画像出力サービス供給装置２に送信用の画像データとして送出される。
【００３２】
操作部３４は、画像出力サービス供給装置２の操作部２４と同様に、ディスプレイ部３２の表示面上に設けられたタッチパネル３４ａで構成されている。なお、ディスプレイ部３２の周囲に種々の操作キー（たとえば押圧式のボタン）を設けてもよい。
【００３３】
このように、画像出力サービス供給装置２と画像出力発注装置３とは、画像出力サービス供給装置２のみが画像出力装置を構成するプリント機能部分を備える一方で、画像出力発注装置３は、画像出力サービス供給装置２に対して画像のプリント出力や記録メディアへのデータ記録を発注する発注装置を構成する機能部分を備える点で異なり、それらに応じた外観構成をそれぞれ有しているが、そのほかの多くの点では、ほぼ同様の機能部分を備えている。
【００３４】
このように、画像出力サービス供給装置２相互間や画像出力サービス供給装置２と画像出力発注装置３との間をネットワーク９で接続した構成の画像出力サービスシステム１では、記録メディアの画像データを送信先を指定して送信する分、遠隔地の相手と容易に送受信することができる。また、受信した画像データに基づく画像をその場でプリントする分、プリント発注や納品を即時化させることができ、画像データを送受信し合う際の利便性を格段に向上させることができる。
【００３５】
たとえば、旅先で記録メディアの記憶容量が満杯となったとき、旅先の画像出力発注装置３で自宅近くの画像出力サービス供給装置２を出力先として指定しプリント発注をしてから記録メディアのデータを消去して使うことができ、利便性が格段に向上する。
【００３６】
また、受付番号や暗証番号などを送信先の相手に電話などを用いて通知することで、送信先の相手が、送信元のユーザによって指定された最寄りの画像出力サービス供給装置２に出向いてプリント出力や画像データが記録された記録メディアを得ることもできる。
【００３７】
また、画像出力発注装置３については、プリント機能を省略した分、プリンタの搭載スペースを省略して全体として小型に構築することができるため、設置面積を小さくすることができる分、街頭に設置する際の設置場所の選択度を上げ、設置箇所を増やすことができる。
【００３８】
＜＜プリントサービス供給装置およびプリント発注装置のハードウェア構成＞＞
図２は、画像出力サービス供給装置２および画像出力発注装置３のハードウェア構成例を示すブロック図である。
【００３９】
本実施形態の画像出力サービス供給装置２および画像出力発注装置３は、記録メディアなどから画像を取得すると、この取得した画像に基づいて、またユーザ操作に応じてユーザの希望するサイズや希望する枚数だけ有料で所定の記録媒体にプリントするサービスや所定の記録メディアにデータ記録するサービスを提供するためのものであり、画像出力発注装置３は画像出力サービス供給装置２に対してその出力を発注する機能を備え、画像出力サービス供給装置２は画像出力発注装置３にて指示された画像の出力を実行する機能を備える。本実施形態において、これらの処理機能部分は、ソフトウェアで組み込む構成としている。
【００４０】
この場合、その機能を実現するプログラムコードに基づいて電子計算機（コンピュータ）を用いてソフトウェア的に実現するようになる。よって、本発明に係る画像入出力制御方法や装置を、電子計算機（コンピュータ）を用いてソフトウェアで実現するために好適なプログラムあるいはこのプログラムを格納したコンピュータ読取可能な記憶媒体を発明として抽出することもできる。ソフトウェアにより実行させる仕組みとすることで、ハードウェアの変更を伴うことなく、処理手順などを容易に変更できる利点を享受できるようになる。
【００４１】
一連の画像入出力制御処理をソフトウェアにより実行させる場合には、そのソフトウェアを構成するプログラムが、専用のハードウェアに組み込まれているコンピュータ（組込マイコンなど）、あるいは、ＣＰＵ（Central Processing Unit ；中央処理部）、論理回路、記憶装置などの機能を１つのチップ上に搭載して所望のシステムを実現するＳＯＣ（System On a Chip：システムオンチップ）、または、各種のプログラムをインストールすることで各種の機能を実行することが可能な汎用のパーソナルコンピュータなどに、記録媒体やネットワーク９を介してインストールされる。
【００４２】
記録媒体は、コンピュータのハードウェア資源に備えられている読取装置に対して、プログラムの記述内容に応じて、磁気、光、電気などのエネルギの変化状態を引き起こして、それに対応する信号の形式で、読取装置にプログラムの記述内容を伝達できるものである。たとえば、コンピュータとは別に、ユーザにプログラムを提供するために配布される、プログラムが記録されている磁気ディスク（フレキシブルディスクを含む）、光ディスク（ＣＤ−ＲＯＭ（Compact Disc-Read Only Memory ）、ＤＶＤ（Digital Versatile Disc）を含む）、光磁気ディスク（ＭＤ（Mini Disc ）を含む）、または半導体メモリなどよりなるパッケージメディア（可搬型の記憶媒体）により構成されるだけでなく、コンピュータに予め組み込まれた状態でユーザに提供される、プログラムが記録されているＲＯＭ（Read Only Memory）やＲＡＭ（Random Access Memory）あるいはハードディスクなどで構成されてもよい。または、ソフトウェアを構成するプログラムが、有線あるいは無線などの通信網を介して提供されてもよい。
【００４３】
たとえば、表示制御や印刷制御に関わる描画展開処理機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読み出し実行することによっても、ハードウェアにて構成する場合と同様の効果は達成される。この場合、記憶媒体から読み出されたプログラムコード自体が画像入出力制御処理の機能を実現することになる。
【００４４】
また、コンピュータが読み出したプログラムコードを実行することにより、画像入出力制御処理を行なう機能が実現されるだけでなく、そのプログラムコードの指示に基づき、コンピュータ上で稼働しているＯＳ（オペレーティングシステム；基本ソフト）などが実際の処理の一部または全部を行ない、その処理によって画像入出力制御処理を行なう機能が実現される場合であってもよい。
【００４５】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行ない、その処理によって画像入出力制御処理を行なう機能が実現される場合であってもよい。
【００４６】
なお、画像入出力制御処理を行なう機能を実現するプログラムコードを記述したファイルとしプログラムが提供されるが、この場合、一括のプログラムファイルとして提供されることに限らず、コンピュータで構成されるシステムのハードウェア構成に応じて、個別のプログラムモジュールとして提供されてもよい。
【００４７】
以下具体的に説明する。なお、ここでは、画像出力サービス供給装置２における機能部を基本として説明し、括弧内には、対応する画像出力発注装置３の機能部の参照符号を示す。また、画像出力発注装置３特有の部分については、適宜、説明を加える。
【００４８】
図２に示すように、画像出力サービス供給装置２や画像出力発注装置３は、パーソナルコンピュータなどのコンピュータ装置１００と、タッチパネル２４ａ（３４ａ）付きのソフトコピー出力デバイス（以下表示デバイスという）２２ａ（３２ａ）を有するディスプレイ部２２（３２）と、プリントエンジン２７ａ，２７ｂを有するプリンタ部２７と、各種方式の記録メディア２０２のドライブでなるメディアユニット部２３（３３）と、課金制御部２５ａ（３５ａ）、紙幣識別部２５ｂ（３５ｂ）、および硬貨識別部２５ｃ（３５ｃ）からなる課金処理部２５（３５）と、電源部２６（３６）と、マウスやキーボードなどの入力デバイスからなるメンテナンス用の操作指示部２４ｃを含む操作部２４（３４）を備えている。これらの各機能部は、筐体２０（３０）内に格納されている。
【００４９】
なお、画像出力発注装置３は、操作部２４としてメンテナンス用の操作指示部を備えておらず、またプリンタ部２７として、プリントエンジン２７ａ，２７ｂの代りに、課金処理結果を示すレシートをユーザに提示するためのレシートプリンタ３７ａを備えている。
【００５０】
＜コンピュータ装置による構成＞
図３は、ＣＰＵやメモリを利用して、画像出力サービス供給装置２や画像出力発注装置３をソフトウェア的に構成する、すなわち電子計算機（コンピュータ）を用いて構成する場合のハードウェア構成の一例を示す図である。
【００５１】
図示するように、画像出力サービス供給装置２や画像出力発注装置３を構成するコンピュータ装置１００は、これら画像出力サービス供給装置２や画像出力発注装置３全体の動作制御やそのほかの演算や制御の各処理機能をなすＣＰＵ１１０と、不揮発性の記憶部の一例であるＲＯＭ１３０と、書換可能な記憶部の一例であるＲＡＭ１４０とを備える。
【００５２】
また、コンピュータ装置１００は、ディスプレイ部２２（３２）との間のインタフェース（Inter Face）機能をなすディスプレイＩ／Ｆ（インタフェース）部１５０と、操作部２４（３４）を構成するタッチパネル２４ａ（３４ａ）や操作キー２４ｂ（３４ｂ）との間のインタフェース機能をなす入力Ｉ／Ｆ部１５２と、プリンタ部２７（３７）との間のインタフェース機能をなすプリンタＩ／Ｆ部１５４と、スキャナ装置１９０との間のインタフェース機能をなすスキャナＩ／Ｆ部１５６と、課金処理部２５（３５）との間のインタフェース機能をなす課金Ｉ／Ｆ部１５７と、ネットワーク９との間のインタフェース機能をなすネットワークＩ／Ｆ部（ターミナルアダプタ部）１５８とを備える。ネットワークＩ／Ｆ部１５８は、ＩＳＤＮやインターネットなどの通信網との間の通信データの受け渡しを仲介する。
【００５３】
なお、画像出力サービス供給装置２や画像出力発注装置３における画像入出力制御機能をなす全ての処理をソフトウェアで行なうのではなく、これら機能部分の一部をハードウェアにて処理回路１６０として設けてもよい。
【００５４】
さらに、コンピュータ装置１００は、フラッシュメモリなどの不揮発性の半導体メモリカードなど、種々の方式の記録メディア２０２から画像データを読み出すメモリリーダ１７２並びに画像データを記録メディア２０２に書き込むメモリライタ１７３を有し、この記録メディア２０２との間のインタフェース機能をなすメモリＩＦ部１７０と、各部を互いに接続するアドレスバスおよびデータバスを含む内部バス１８０とを備えている。画像データや制御データは、内部バス１８０を通じて各ハードウェア間をやり取りされる。
【００５５】
また、コンピュータ装置１００は、たとえばハードディスク装置１７４、フレキシブルディスク（ＦＤ）ドライブ１７６、あるいはＣＤ−ＲＯＭ（Compact Disk ROM）ドライブ１７８などの、記憶媒体からデータを読み出したり記録したりするための記録・読取装置を備えてもよい。なお、可搬型の記録媒体としては、ＦＤ１９６やＣＤ−ＲＯＭ１９８などのほかにも、ＤＶＤなどの光学記録媒体、ＭＤなどの磁気記録媒体、ＰＤなどの光磁気記録媒体、テープ媒体、磁気記録媒体、ＩＣカードやミニチュアカードなどの半導体メモリを用いることができる。
【００５６】
スキャナ装置１９０、ＦＤ１９６、ＣＤ−ＲＯＭ１９８、あるいは記録メディア２０２は、画像入力ソースとしての機能を備えており、画像出力サービス供給装置２や画像出力発注装置３に対して、画像出力に供し得る画像データを提供し得るものである。
【００５７】
また、ハードディスク装置１７４、フレキシブルディスクドライブ１７６、ＣＤ−ＲＯＭドライブ１７８は、たとえば、ＣＰＵ１１０にソフトウェア処理をさせるためのプログラムデータを登録するなどのために利用される。なお、フラッシュメモリなどの不揮発性の半導体メモリカードなど、そのほかの記録媒体にプログラムを格納してもよい。
【００５８】
ＲＯＭ３０は、内部に、ＣＰＵ１１０が各種処理を行なうための制御プログラムが格納されるプログラム記憶領域や、ＣＰＵ１１０が各種処理を行なうために必要とするそのほかのデータ記憶領域を有する。たとえば、ＲＯＭ３０は、ＣＰＵ１１０が描画処理や出力制御処理を行なうのに必要となるプログラムをプログラム記憶領域に予め格納している。さらに、プログラム記憶領域は、図示されないＢＩＯＳ（Basic Input/Output System ）やＯＳ（Operating Systems ；基本ソフト）やＧＵＩ（Graphical User Interface）処理などのプログラムをも格納している。ＣＰＵ１１０は、ＢＩＯＳやＯＳやＧＵＩ処理を利用しつつ、ＲＯＭ３０内のプログラムを実行することによって、各部の機能を実現する。
【００５９】
ＲＡＭ４０は、ＣＰＵ１１０が各種処理を実行する際のワークメモリとして用いられる作業領域であって、外部から取り込んだ画像データを格納する画像記憶領域、ディスプレイ部２２にて表示するためあるいはプリンタ部２７にて印刷出力するためのラスタデータ（ビットマップイメージ）を格納するページバッファ領域、画像処理に供されるビットマップイメージを格納するビットマップ領域、あるいはそのほかの処理対象画像データを格納する領域を含んでいる。
【００６０】
メモリ読出部１７０は、メディアユニット部２３やメディアユニット部３３に挿入された記録メディア２０２からの画像データをＲＡＭ１４０やハードディスク装置１７４へ格納する。
【００６１】
ディスプレイＩ／Ｆ部１５０は、ＣＰＵ１１０による制御に従いつつ、ＲＡＭ４０内のページバッファに展開されたラスタデータを、ディスプレイ部２２に渡す。これにより、ディスプレイ部２２は、外部から取り込んだ画像データに基づくラスタデータを表示するようになる。同様に、プリンタＩ／Ｆ部１５４は、ＣＰＵ１１０による制御に従いつつ、ＲＡＭ４０内のページバッファに展開されたラスタデータを、プリンタ部２７に渡す。これにより、プリンタ部２７は、外部から取り込んだ画像データに基づくラスタデータに従って、所定の記録媒体上に画像を印刷出力するようになる。
【００６２】
たとえば、中央制御部２８（３８）の主要部をなすＣＰＵ１１０は、予めＲＯＭ１３０やハードディスク装置１７４内に格納されている制御プログラムに基づいて必要なＧＵＩ画面をディスプレイ部２２（３２）に順次表示させるとともに、制御プログラムおよびタッチパネル２４ａ（３４ａ）を介して与えられるユーザ入力に基づいて、記録メディア２０２から画像データを取り込み、ユーザの希望する出力対象画像について、出力サイズに対応するプリンタ部２７のドライバやプリントエンジン２７ａ，２７ｂを制御し、あるいはネットワークＩ／Ｆ部１５８を介して画像データを送信し、他の画像出力サービス供給装置２にプリント出力を指示する。
【００６３】
＜描画展開処理機能と画像入出力制御機能に着目した機能ブロック図＞
図４は、コンピュータ装置１００における、画像出力サービス供給装置２と画像出力発注装置３の描画展開処理機能と画像入出力制御機能に着目した機能ブロック図である。
【００６４】
ＣＰＵ１１０は、画像入出力制御装置２や画像出力発注装置３をなすコンピュータ装置１００全体の動作制御のほかに、本実施形態特有の機能部分として、画像の表示出力あるいは印刷出力に関わる処理を行なう機能部分として、描画展開処理機能と出力制御機能をなす機能部分とが設けられている。
【００６５】
たとえば、ＣＰＵ１１０は、描画展開処理機能部分として、画像を記録メディア２０２、あるいはフレキシブルディスク（ＦＤ）やＣＤ−ＲＯＭなどのほかのメディア、あるいはネットワーク９を介して他の装置から画像データを取り込む画像取込部１１２と、画像取込部１１２が取り込んだ画像データに基づいて表示出力用や印刷出力用のラスタデータを生成し、また必要に応じて所望の画像処理を施す画像処理部１１４とを備える。この構成により、ＣＰＵ１１０は、画像出力サービス供給装置２や画像出力発注装置３全体の動作制御のほかに、記録メディア２０２から読み出した画像データやネットワークＩ／Ｆ部１５８を介して画像取込部１１２にて受け取った電子データを画像処理部１１４にて解釈して、その解釈結果に基づいて所定の処理を行なう。
【００６６】
また、ＣＰＵ１１０は、出力制御機能部分として、生成されたビットマップイメージに基づき、ディスプレイ部２２にて表示出力し、あるいはプリンタ部２７にて印刷出力する、あるいはユーザより指示された画像データを所定の記録メディア２０２に記録し得る、あるいはネットワーク９を介して他の画像出力サービス供給装置２にデータ送信し得るように構成されている。このため、ＣＰＵ１１０は、本実施形態特有の構成である出力順設定部１２３と、表示制御部１２６と、指示受付部１２８とを有する入出力制御部１２０を備える。
【００６７】
たとえば描画展開処理機能部分としての画像処理部１１４は、画像取込部１１２が画像データを記録メディア２０２や他の装置から受け取ると、所定の描画コマンド（直線、曲線、フォント、ラスタ画像、塗りつぶしなどの描画命令）を解釈して図形描画処理を行ない、描画された図形をビットマップイメージとして生成する（描画処理を行なう）。
【００６８】
この際、画像処理部１１４は、周知技術に従って、複数好ましくは最低３つの分解色を表すデータを生成しレンダリング（ラスタデータに展開）する。たとえばＹＣｒＣｂ表色系から、たとえばＲＧＢ表色系へのマッピングをし、表示出力用に色分解されたラスタデータを生成する、あるいはＹＭＣ表色系またはＹＭＣＫ表色系へのマッピングをし、印刷出力用に色分解されたラスタデータを生成する。また描画展開処理機能部分は、このようなラスタデータ化の処理に際して、オペレータの好みに応じた色補正処理など、所定の出力処理を行なってもよい。画像処理部１１４は、生成した表示出力用のラスタデータを表示制御部１２６に渡し、また印刷出力用のラスタデータをプリンタ部２７に渡す。
【００６９】
出力制御機能部分としての入出力制御部１２０は、描画展開処理機能部分としての画像処理部１１４にて信号変換処理されたカラー画像をディスプレイ部２２にて可視像として出力させる、あるいは、所定の手順に従ってユーザより選択された画像について、プリンタ部２７にて所定の記録媒体上に可視像を印刷出力させる、あるいは記録メディア２０２にその画像を再度書き込む。
【００７０】
たとえば、画像取込部１１２は、メモリＩＦ部１７０のメモリリーダ１７２を介して記録メディア２０２から画像データを読み込む。画像取込部１１２は、この読み込んだ画像データを先ず表示制御部１２６に渡す。表示制御部１２６は、画像取込部１１２から入力された画像データに基づき、ディスプレイ部２２において、タッチパネル２４ａ付きの表示デバイス２２ａに画像を表示する。
【００７１】
指示受付部１２８は、画像取込部１１２が取り込んだ複数の画像の中から、出力対象の画像の選択や出力順、あるいは画像取込部１１２が取り込んだ全ての画像を出力対象とするか選択された画像を出力対象とするかの指示を、タッチパネル２４ａや操作キー２４ｂを介して受け付ける。
【００７２】
出力順設定部１２３は、指示受付部１２８が受け付けた情報に従って、指示受付部１２８が受け付けた出力対象の画像を表示デバイス２２ａ上やプリント出力として出力する際の出力順を決定し、その情報を画像処理部１１４や表示制御部１２６に設定する。画像処理部１１４や表示制御部１２６は、この設定された出力順の情報に従って出力対象画像の配列順（出力順）を並び替える。この並替え処理は、画像取込部１１２にて取り込んだ複数の画像の全てや指示受付部１２８が受け付けた指示に従った出力対象の画像をインデックスプリントやワレットプリントにして出力する際にも同様に行なう。
【００７３】
表示制御部１２６は、画像入力ソースや画像出力ソースの各選択メニュー画面や、画像入力ソースから取り込んだ画像を間引いて画素数を少なくして解像度を下げた（画像サイズを小さくした）サムネイル画像として表示するとともにユーザが希望する出力対象の画像を選択するための画像選択メニュー画面などの操作メニュー画面を表示デバイス２２ａに表示させる機能を備える。
【００７４】
また、表示制御部１２６は、本実施形態特有の機能として、出力順設定部１２３により設定された出力順の情報に従って、ユーザより選択されたサムネイル画像（選択された表示出力対象画像の一例）を所定の順序に並び替えて表示させる並替表示機能を備える。同様に、画像処理部１１４は、本実施形態特有の機能として、出力順設定部１２３により設定された出力順の情報に従って、ユーザより選択された出力対象画像を所定の順序に並び替えてプリント出力あるいはデータ出力させる並替出力機能を備える。
【００７５】
所定の順序としては、たとえば、画像データのファイル名順や画像作成日時順が標準の設定として用意される。この２つの並替えの優先順序は、予め装置にて決めておくとともに、操作部２４を介してユーザが任意に指定可能にする。
【００７６】
また、所定の順序としては、ファイル名順や画像作成日時順に加えて、ユーザが選択した選択順や、選択した画像についてユーザが指定した出力枚数順がオプションとして用意される。出力枚数順が指定された場合において、同枚数であれば、選択順やファイル名順または作成日時順で表示する。これらオプションについての並替えの優先順序も、操作部２４を介してユーザが任意に指定可能にする。
【００７７】
たとえば、ユーザがタッチパネル２４ａ付きの表示デバイス２２ａより指示した出力対象画像の選択などの種々の指示を指示受付部１２８が受け付ける。ここで、選択画像の表示を並び替える際は、ソートボタンの押下（ソフト的な押下）をタッチパネル２４ａ付きの表示デバイス２２ａを介して指示受付部１２８にて受け付け、表示制御部１２６にて表示順を変更し、再度、表示デバイス２２ａ上に表示する。
【００７８】
入出力制御部１２０は、選択画像について、画像処理部１１４にてプリント出力用の処理を施すよう指示し、この処理後には、プリンタ部２７に対してプリント処理を指示する。また、インデックスプリントやワレットプリントを付加する際には、入出力制御部１２０は、“全選択”または“選択画像”ボタンの押下をタッチパネル２４ａ付きの表示デバイス２２ａを介して指示受付部１２８にて受け付け、全画像または選択画像でのインデックスプリントデータやワレットプリントデータの生成を画像処理部１１４に指示し、データ生成後には、プリンタ部２７に対してプリント処理を指示する、あるいはメディアユニット部２３に対して画像データの書込みを指示する。
【００７９】
＜＜操作処理手順＞＞
図５は、画像出力サービス供給装置２や画像出力発注装置３における操作処理手順の一例を示すフローチャートである。また、図６は、この操作手順においてユーザに提示される画像入力ソース選択メニュー画面の一例を示す図である。なお、ここでは、先ず画像出力サービス供給装置２について説明し、画像出力発注装置３との相違点については後で説明する。
【００８０】
ユーザによってディスプレイ部２２のタッチパネル２４ａが触れられると、入出力制御部１２０は、操作処理手順を開始し、先ず、表示制御部１２６により、初期画面（図示を割愛する）を表示デバイス２２ａ上に表示させる（Ｓ１００）。ユーザにより表示デバイス２２ａに表示された初期画面がタッチパネル２４ａを介してタッチされると、指示受付部１２８はその旨を表示制御部１２６に通知する。これを受けて、表示制御部１２６は、たとえば、「定型サイズでプリントする」、「ポストカードにプリントする」、「シールにプリントする」、「他の記録メディアへ保存する」、および「他のプリントサービス供給装置に送信する」などのサービスのメニューを表すアイコンから構成されるオペレーション選択画面（図示を割愛する）を表示デバイス２２ａ上に表示させる（Ｓ１０２）。
【００８１】
オペレーション選択画面のうち１つのアイコンがユーザによって選択されると、表示制御部１２６は、選択されたサービスにおいて、画像を合成して用いるか否かを表すアイコンをテンプレート設定画面（図示を割愛する）として表示させる（Ｓ１０４）。
【００８２】
このテンプレート設定画面のうち“画像を合成して用いるアイコン”（すなわち合成あり）が選択されると、表示制御部１２６は、複数の合成素材（テンプレート）を表すアイコンから構成されるテンプレート選択画面（図示を割愛する）を表示デバイス２２ａ上に表示させる（Ｓ１０５）。入出力制御部１２０は、このテンプレート選択画面における複数のテンプレートのうち１つのアイコンがユーザによって選択されると、この情報を一時ＲＡＭ１４０に格納し、後段のサービスにおいてこのテンプレートに基づき、合成した画像を用いるようにして、入力ソース選択処理（Ｓ１１０）以降の各種処理を続ける。
【００８３】
一方、入出力制御部１２０は、ステップＳ１０４におけるテンプレート設定画面のうち“画像をそのままにするアイコン”（すなわち合成なし）が選択されると、ステップＳ１０５を経由せずに、入力ソース選択処理（Ｓ１１０）以降の各種処理を続ける。
【００８４】
表示制御部１２６は、入力ソース選択処理（Ｓ１１０）において、使用できる記録メディア２０２やスキャナ装置１９０など入力ソースの種類に応じたアイコンを一覧表にした図６に示すような入力ソース選択画面を表示デバイス２２ａ上に表示させる。たとえば、画像入力ソースを示すアイコンとして、それぞれ方式の異なる半導体メモリ１〜４、フレキシブルディスク、コンパクトディスク、ＰＣカード、（他の装置からのデータを）受信する、スキャナ装置、あるいは自装置などのアイコンが表示される。
【００８５】
ここで、たとえばユーザによって所望する記録メディア２０２に応じたアイコン（たとえばＰＣカードアイコン）が選択されると、表示制御部１２６は、選択されたアイコンに応じた「記録メディア（本例ではＰＣカード）を挿入して下さい」という旨のメッセージ画面（図示を割愛する）を表示デバイス２２ａ上に表示させる（Ｓ１１２）。
【００８６】
続いてユーザが選択した記録メディア２０２がメディア挿入口から挿入されると、画像取込部１１２は、メディアユニット部２３内の図示しない再生駆動系を制御することにより、記録メディア２０２に記録されている画像データＤ２を読み込み、画像データＤ２を一旦全てハードディスク装置１７４に記録しバックアップを取る（Ｓ１１６）。このとき表示制御部１２６は、現在データ読込中である旨のメッセージ画面（図示を割愛する）を表示デバイス２２ａ上に表示する。
【００８７】
また、ステップＳ１１０において表示デバイス２２ａ上に表示されている入力ソース選択領域のうち、ユーザによって「スキャナ装置で画像を取り込む」に応じたアイコン１Ｃ１０が選択されると、表示制御部１２６は、この選択されたアイコンに応じた操作ガイダンス画面（図示を割愛する）を表示デバイス２２ａ上に表示させる（Ｓ１１３）。ユーザは、この操作ガイダンス画面に従って、手持ちの写真の読取りを指示する。
【００８８】
画像取込部１１２は、スキャナ装置１９０にて所定の読取解像度で本スキャンされた画像を取り込み、画像データを一旦全てハードディスク装置１７４に記録しバックアップを取る（Ｓ１１６）。このとき表示制御部１２６は、現在画像をスキャン中である旨のメッセージ画面（図示を割愛する）を表示デバイス２２ａ上に表示する。
【００８９】
一方、ステップＳ１１０において表示デバイス２２ａ上に表示されている入力ソース選択画面のうち、ユーザによって「画像データを受信する」に応じたアイコンが選択されると、表示制御部１２６は、このアイコンに応じた受付番号入力画面（図示を割愛する）を表示デバイス２２ａ上に表示させる（Ｓ１１４）。ユーザによって所定の受付番号が入力されると、表示制御部１２６は、暗証番号入力画面（図示を割愛する）を表示デバイス２２ａ上に表示させる（Ｓ１１５）。
【００９０】
ユーザによってセキュリティ用の暗証番号（パスワード）が入力されると、画像取込部１１２は、ハードディスク装置１７４を制御することにより、このハードディスク装置１７４の受信データベースに格納されている受信内容の中からユーザによって入力された受付番号および暗証番号に基づく受信内容（画像データＤ５など）を検索して読み込む。このとき表示制御部１２６は、現在データ読込中である旨のメッセージ画面（図示を割愛する）を表示デバイス２２ａ上に表示する。
【００９１】
ステップＳ１１６において記録メディア２０２やハードディスク装置１７４の受信データベースから画像データの取込みを終了すると、ハードディスク装置１７４へのバックアップが終了した旨および記録メディア２０２が装填されている場合は記録メディア２０２を取り出す旨を表示デバイス２２ａ上にメッセージ表示する（Ｓ１１８）。
【００９２】
この後、入出力制御部１２０は、ステップＳ１０２にて選択されているサービスメニューに応じて、画像選択メニュー画面（後述する図８を参照）を表示デバイス２２ａ上に表示し、ユーザにより選択された選択画像についての出力処理を実行する。
【００９３】
＜プリント画像選択と出力処理＞
たとえば、オペレーション選択画面で、「定型サイズでプリントする」、「ポストカードにプリントする」、あるいは「シールにプリントする」などのプリント処理に関わるアイコンが選択されている場合（Ｓ１２０−プリント）、入出力制御部１２０は、サムネイル画像を並べたプリント画像選択画面を表示デバイス２２ａ上に表示する（Ｓ１３０；その詳細は後述する）。ユーザが所望する画像が全て選択され、また選択された画像のプリント枚数の設定が完了すると、表示制御部１２６は、プリント設定画面（図示を割愛する）を表示デバイス２２ａ上に表示する（Ｓ１３４）。
【００９４】
指示受付部１２８がユーザがプリント出力を希望する全てのサムネイル画像についてプリント内容を設定したことを確認すると、表示制御部１２６は、料金請求画面（図示を割愛する）を表示デバイス２２ａ上に表示し、課金処理部２５と協働して、プリント料に応じた入金処理を行なう（Ｓ１３８）。
【００９５】
課金処理が完了すると、出力画像品質設定部１２５は、入力画像サイズと出力画像サイズとに応じた最適なシャープネス値を求め、求めたシャープネス値を画像処理部１１４に設定する。画像処理部１１４は、この設定されたシャープネス値に従って先鋭度の調整処理を行ない、処理後の画像をプリンタ部２７に渡す。入入出力制御部１２０は、ユーザによって指定された印画媒体が装填されているプリントエンジン２７ａ，２７ｂを制御してプリント処理を開始させる（Ｓ１４０）。プリントエンジン２７ａ，２７ｂによるプリント処理が終了すると、表示制御部１２６は、課金処理部２５と協働して精算処理を行なう（Ｓ１４４）。精算処理が完了すると、ステップＳ１００に戻る。
【００９６】
＜保存画像選択と出力処理＞
また、オペレーション選択画面にて、「他の記録メディアへ保存する」を表すアイコンが選択されていた場合（Ｓ１２０−保存）、入出力制御部１２０は、プリント画像選択画面と同様の、サムネイル画像を並べた保存画像選択画面（図示を割愛する）を表示デバイス２２ａ上に表示する（Ｓ１５０）。
【００９７】
表示デバイス２２ａ上に表示された複数のサムネイル画像のうち、ユーザが保存を所望する画像が全て選択されると、表示制御部１２６は、「記録メディア（たとえばフレキシブルディスク）を挿入して下さい」という旨の記録メディア挿入を促すメッセージ画面を表示する（Ｓ１５２）。
【００９８】
ユーザによって記録メディア２０２が対応するメディアユニット部２３の挿入口から挿入されると、表示制御部１２６は、保存設定画面（図示を割愛する）を表示デバイス２２ａ上に表示する（Ｓ１５４）。指示受付部１２８がユーザが保存を希望する全てのサムネイル画像について保存内容を設定したことを確認すると、入出力制御部１２０は、該当するメディアユニット部２３内の図示しない記録駆動系を制御することにより、ユーザが指定した保存内容を記録メディア２０２に保存する（Ｓ１６０）。
【００９９】
この後、表示制御部１２６は、「記録メディア（たとえばフレキシブルディスク）を取り出して下さい」という旨の記録メディア取出しを促すメッセージ画面を表示する（Ｓ１６２）。入出力制御部１２０は、記録メディア２０２がユーザによって取り出されるのを確認した後、再度ステップＳ１００に戻る。
【０１００】
＜送信画像選択と出力処理＞
また、オペレーション選択画面にて、「他のプリントサービス供給装置に送信する」を表すアイコンが選択されていた場合（Ｓ１２０−送信）、入出力制御部１２０は、プリント画像選択画面と同様の、サムネイル画像を並べた送信画像選択画面（図示を割愛する）を表示デバイス２２ａ上に表示する（Ｓ１７０）。
【０１０１】
指示受付部１２８がユーザが送信出力を希望する全てのサムネイル画像について選択したことを確認すると、表示制御部１２６は、選択画像を送信する送信先を指定するための送信先設定画面（図示を割愛する）を表示デバイス２２ａ上に表示する（Ｓ１７４）。
【０１０２】
指示受付部１２８がユーザが送信先を設定したことを確認すると、表示制御部１２６は、暗証番号設定画面を表示デバイス２２ａ上に表示する（Ｓ１７６）。入出力制御部１２０は、ユーザによって所望の番号が入力されることにより、これを暗証番号として登録する。暗証番号は、この後設定される受付番号によって送信元と送信先との間で内容確認された画像の画像データを送信元および送信先以外の部外者に勝手に読み出されるのを防止するためのセキュリティ用に設けられている。
【０１０３】
指示受付部１２８がユーザが暗証番号を入力したことを確認すると、表示制御部１２６は、料金請求画面（図示を割愛する）を表示デバイス２２ａ上に表示して、課金処理部２５と協働して、送信料に応じた入金処理を行なう（Ｓ１７８）。入金処理が完了すると、入出力制御部１２０は、ユーザによって指定された送信内容を、このとき発生する受付番号と一体にハードディスク装置１７４における端末登録データベースの送信データベースに格納する。
【０１０４】
送信データベースへの格納処理が終了すると、表示制御部１２６は、ステップＳ１４４と同様にして、課金処理部２５と協働して精算処理を行ない（Ｓ１８４）、精算処理が完了すると、ステップＳ１００に戻る。
【０１０５】
このとき入出力制御部１２０は、送信する送信内容（選択された画像）を送信元と送信先との間で確認するための受付番号を設定し、受付番号と送信する送信内容とを、インデックスプリントとしてプリント処理し、これを排紙口２９ｄから排出する。ユーザは、この後、このとき得られたインデックスプリントの受付番号および自ら設定した暗証番号を、送信先の相手に電話などを用いて通知してもよい。
【０１０６】
この場合、送信先の相手は、送信元のユーザによって指定された最寄りの画像出力サービス供給装置２に出向き、予め通知されている受付番号および暗証番号に応じた上述のような所定の入力操作を行なうことにより、送信された画像データＤ５に基づく画像がプリントされた印画媒体（所定サイズ、ポストカード、あるいはシールなど）、または画像データＤ５が記録された記録メディアを得ることができる。
【０１０７】
画像出力サービス供給装置２は、上述のような操作処理手順のステップＳ１００（すなわち初期画面が表示デバイス２２ａ上に表示されている状態）において、ユーザからの操作が行なわれない待機状態になると、入出力制御部１２０は、送信処理を実行することにより、ユーザによって選定された画像データＤ５をユーザの所望する画像出力サービス供給装置２に送信する。
【０１０８】
なお、画像出力発注装置３は、プリンタ部を備えておらず、上述したステップＳ１３０〜Ｓ１４４には対応できないが、保存画像の選択処理（Ｓ１５０）や画像保存処理（Ｓ１５２〜Ｓ１６２）、あるいは送信画像の選択処理（Ｓ１７０）や送信処理（Ｓ１７４〜Ｓ１８４）にはついては、対応可能である。
【０１０９】
なお、ステップＳ１０２にて表示デバイス２２ａ上に提示されるオペレーション選択画面には、プリント出力に関わるメニューは表示されず、また「他のプリントサービス供給装置に送信する」に代えて「プリントサービス供給装置にプリント発注する」というメニューが表示される。
【０１１０】
たとえば、送信データベースへの格納処理が終了すると、表示制御部１２６は、ステップＳ１４４と同様にして、課金処理部２５と協働して精算処理を行ない（Ｓ１８４）、精算処理が完了すると、ステップＳ１００に戻る。このとき入出力制御部１２０は、送信する送信内容（選択された画像）を送信元と送信先との間で確認するための受付番号を設定し、受付番号と送信する送信内容とをレシートにプリント出力し、これをレシート排出口３９ｄから排出する。
【０１１１】
ユーザは、この後、このとき得られたレシートの受付番号および自ら設定した暗証番号を、送信先の相手に電話などを用いて通知してもよい。この場合、送信先の相手は、送信元のユーザによって指定された最寄りの画像出力サービス供給装置２に出向き、予め通知されている受付番号および暗証番号に応じた上述のような所定の入力操作を行なうことにより、送信された画像データＤ５に基づく画像がプリントされた印画媒体（所定サイズ、ポストカード、あるいはシールなど）、または画像データＤ５が記録された記録メディアを得ることができる。
【０１１２】
＜画像選択処理の詳細＞
図７は、画像選択処理手順（Ｓ１３０，Ｓ１５０，Ｓ１７０）の詳細例を示すフローチャートである。ここでは、プリント画像選択処理（Ｓ１３０）の例で示している。また、図８〜図１０は、この画像選択処理手順においてユーザに提示されるＧＵＩ画面の一例を示す図である。また、図１２は、インデックスプリントの一例を示し、図１３は、ワレットプリントの一例を示す。
【０１１３】
画像取込部１１２により画像が取り込まれると（Ｓ１１６）、入出力制御部１２０の表示制御部１２６は、先ず、記録メディア２０２などから読み込んだ画像データなど、取り込んだ全ての画像データに基づき、図８に示すように、たとえばファイル名（図８（Ａ）中のＩＭＧ０００１．ＰＣＤなど）順もしくは画像作成日時（図８（Ｂ）中の２００２．０１．０１．２０．００など）順など、装置にて予め定めてある順序に従って全画像のサムネイル画像を並べた画像選択メニュー画面を表示デバイス２２ａにて表示する（Ｓ２０２）。
【０１１４】
この画像選択メニュー画面（プリント画像選択画面）には、記録メディア２０２に記録されている画像データに基づく複数の画像がサムネイル画像として所定数（たとえば１画面内に同時に表示可能な画像は１２枚）ずつ表示されている。各サムネイル画像の下側には全画像の中から出力を希望する画像を任意に選択するための種々の操作ボタンが表示される。たとえば、設定を終了させる設定終了ボタンＢＴ１、インデックスプリントやワレットプリントを付加する指示を与えるインデック／ワレット付加ボタンＢＴ２、全ての画像を選択するための全画像選択ボタンＢＴ３、画像選択をキャンセルするためのキャンセルボタンＢＴ４、前または後の１２枚分のサムネイル画像にシフトさせるための前へボタンＢＴ５、および次へボタンＢＴ６が表示される。
【０１１５】
また、サムネイル画像の表示順を切り替えるためのファイル名順のボタンＢＴ１１や画像作成日時順のボタンＢＴ１２も表示される。ユーザは、ファイル名順のボタンＢＴ１１や画像作成日時順のボタンＢＴ１２を押下することで、表示順の切替えを指示することもできる。指示受付部１２８は、この指示を受け付けると、その旨を表示制御部１２６に通知する。この通知を受けた表示制御部１２６は、指示された順序で、図８（Ａ）に示すファイル名順もしくは図８（Ｂ）に示す作成日時順のように、サムネイル画像を並び替える。何れの並び順が指定されているかは、ファイル名順のボタンＢＴ１１や画像作成日時順のボタンＢＴ１２の何れかをハイライト表示する、あるいは、それぞれの指定された順序モードに応じて、ファイル名もしくは作成日時をサムネイル画像とともに表示することでユーザに示唆する。
【０１１６】
ユーザは、画像選択メニュー画面にて、全画像選択ボタンＢＴ３やサムネイル画像をクリックすることで、プリント出力などの、出力処理を希望する画像を選択する（Ｓ２０４）。またこの際、操作キー２４ｂを介して、選択した画像について、その画像の出力枚数（図８中の＜＠＞）を指示する（Ｓ２０６）。指示受付部１２８は、このユーザ指示を受け付ける。なお、指示受付部１２８は、出力枚数の指示がない場合、出力枚数が１枚であると判定する。
【０１１７】
指示受付部１２８は、ボタンの押下を監視しつつ、処理を継続する（Ｓ２１０）。たとえば、ユーザは、他画像もプリントなどの出力を希望する場合は、画像選択や枚数指示の操作を繰り返す（Ｓ２１０−ＮＯ）。
【０１１８】
表示制御部１２６は、選択されたサムネイル画像と選択されていないサムネイル画像とをユーザが容易に峻別可能なように表示する。たとえば図９に示すように、選択されたサムネイル画像に対しては、所定の色および濃度の背景を付加して表示する。また、選択されたサムネイル画像に対しては、選択された順番を示す数字（図９中の□内）と出力枚数を示す数字（図９中の＜＞内）も表示する。
【０１１９】
選択終了であれば、ユーザは設定終了ボタンＢＴ１０を押下する。指示受付部１２８はこの指示を受け付けると（Ｓ２１０−ＹＥＳ，Ｓ２１２−設定完了）、その旨を表示制御部１２６に通知する。この通知を受けた表示制御部１２６は、最終確認画面を表示デバイス２２ａに表示させる。ユーザは、この最終確認画面にて、プリント設定や保存設定あるいは送信設定などの出力設定の確認をする。
【０１２０】
この際、表示制御部１２６は、出力順設定部１２３により設定されている出力順の情報に従って、ユーザにより選択されたサムネイル画像と選択されていないサムネイル画像とをそれぞれ纏めて並び替えて（ソートして）表示する。また表示制御部１２６は、ユーザにより選択されたサムネイル画像については、ユーザが選択した選択順や、選択した画像についてユーザが指定した出力枚数順にて並び替えて表示する（Ｓ２１４）。出力対象として画像を選択した後に、その選択画像の表示順を変更可能にすることで、選択画像の最終確認作業が容易となり、使い勝手がよく、確認作業が短時間で済む。
【０１２１】
たとえば、図１０は、設定枚数順が最優先（たとえば枚数の多い方を優先）、２番目に選択順が設定されている場合のソート結果の表示例を示している。並び順の優先度合いを切り替える場合、ボタンＢＴ１１〜ＢＴ１４を優先度が希望のようになるような順にクリックしてからソートボタンＢＴ３３をクリックすればよい。図中、ボタンＢＴ１１〜ＢＴ１４のうち、ハイライト表示（図では黒で示す）されているものが並び順の設定がされていることを示し、ハイライト部分内の数字が優先度合い（数字が小さいほど優先度が高い）を示している。
【０１２２】
図示した例では、出力枚数の多い画像７（選択順は２番目）が先ず最初に表示され、この後に、画像１０と画像１の順のように、出力枚数が同数（図では出力枚数が１枚）の場合には２番目の並び順として指定された選択順で表示されていることが分かる。また、ユーザより出力対象として選択されていない画像については、図８にて指定されていた順序（図ではファイル名順）で表示されていることが分かる。
【０１２３】
ユーザは、選択順のボタンＢＴ１３や出力枚数順のボタンＢＴ１４、あるいはファイル名順のボタンＢＴ１１や画像作成日時順のボタンＢＴ１２を押下することで、表示順の切替えを指示することもできる。指示受付部１２８は、この指示を受け付けると、その旨を表示制御部１２６に通知する。この通知を受けた表示制御部１２６は、指示された順序でサムネイル画像を並び替える。
【０１２４】
また、ユーザは、画像選択メニュー画面にて画像を選択する際、インデックスプリントやワレットプリントを希望する場合にはインデック／ワレット付加ボタンＢＴ２を押下する。指示受付部１２８はこの指示を受け付けると（Ｓ２１０−ＹＥＳ，Ｓ２１２−インデックス付加／ワレット付加）、その旨を表示制御部１２６に通知する。この通知を受けた表示制御部１２６は、図１１に示すように、インデックスプリントやワレットプリントの対象画像を指定する付加プリント指定画面を表示デバイス２２ａに表示させる。
【０１２５】
ユーザは、この付加プリント指定画面にて、先ずインデックスプリントの付加を希望する場合にはインデックスボタンＢＴ２１を、またワレットプリントの付加を希望する場合にはワレットボタンＢＴ２２をクリックすることで、付加プリントの種別を指定する。また、全画像ボタンＢＴ２３を押下することで全画像のインデックス／ワレットを設定し、また選択画像ボタンＢＴ２４を押下することで選択画像のみのインデックス／ワレットを設定する。また、キャンセルボタンＢＴ２５を押下することで、インデックスプリントやワレットプリントの希望をクリアする。
【０１２６】
指示受付部１２８は、全画像ボタンＢＴ２３の押下を受け付けると（Ｓ２２０−全画像）、全画像のインデックス／ワレットのプリント設定をする（Ｓ２２２）。また、指示受付部１２８は、選択画像ボタンＢＴ２４の押下を受け付けると（Ｓ２２０−選択画像）、選択画像のインデックス／ワレットのプリント設定をする（Ｓ２２４）。また、指示受付部１２８は、キャンセルボタンＢＴ２３の押下を受け付けると（Ｓ２２０−キャンセル）、その旨を表示制御部１２６に通知するとともに、次のユーザ指示を待つ。この通知を受けた表示制御部１２６は、図１１に示す付加プリント指定画面をクリアし、元の画面（本例では図９に示す選択途中の画像選択メニュー画面）に切り替える。
【０１２７】
ユーザは、最終確認画面にての確認後に再設定を希望する場合は、再設定ボタンＢＴ３２を押下することで、画像選択や枚数設定の再設定を指示する。指示受付部１２８は、この指示を受け付けると（Ｓ２３０−再設定）、その旨を表示制御部１２６に通知する。この通知を受けた表示制御部１２６は、ステップＳ２０４に戻り、画像選択メニュー画面を表示デバイス２２ａに提示し、画像選択や出力枚数の指示を受け付ける。
【０１２８】
一方、ユーザは、最終確認画面にての確認で問題がない場合は、確認終了ボタンＢＴ３１を押下することで、出力処理を指示する。指示受付部１２８は、確認終了ボタンＢＴ３１の押下を受け付けると（Ｓ２３０−確認）、ステップＳ２２０にてインデックス／ワレットのプリント設定がなされている場合には、その設定に従って、インデックスプリント処理（Ｓ２３４）、もしくはワレットプリント処理（Ｓ２３６）をする。なお、インデックスプリントやワレットプリントには、受付番号をプリントするようにするとよい。この後、入出力制御部１２０は、ステップＳ１０２にて選択されているサービスメニューに応じて、ユーザにより選択された選択画像についての出力処理を実行する（Ｓ２４０）。
【０１２９】
たとえば、インデックスプリント処理（Ｓ２３４）時には、図１２に示すように、取り込んだ（たとえば任意のフォルダの）全画像を縮小して、マトリックスに配列したインデックスプリントを作成する。このインデックスプリントでは、コマ数の異なるテンプレートを複数種類用意しておき、対象の画像数に応じたコマ数のテンプレートを選択してインデックスプリントを作成するとよい。なお、このインデックスプリントでは、同じ画像を複数のコマに入れることはできない。
【０１３０】
また、ワレットプリント処理（Ｓ２３６）時には、図１３に示すように１枚の台紙に同サイズの画像をたとえば４個としたり、あるいは、大サイズ画像を１個と小サイズ画像を２個（計３個）や大サイズ画像を２個としたりするなど、幾つかのテンプレートを用意しておき、その中から選択して使用するようにしてもよい。なお、このワレットプリントでも、同じ画像を複数のコマに入れることはできない。
【０１３１】
また、ステップＳ２２０にてインデックス／ワレットのプリント設定がなされていない場合には、入出力制御部１２０は、即時に、ステップＳ１０２にて選択されているサービスメニューに応じて、ユーザにより選択された選択画像についての出力処理を実行する（Ｓ２４０）。
【０１３２】
このように、本実施形態に依れば、選択画像についてのプリント出力やデータ保存などを行なう際に、出力対象として画像を選択した後に、その選択画像の表示順を変更できるようにしたので、選択画像の最終確認が容易となり、使い易く、確認作業における顧客の滞留時間も少なくて済む。ユーザの希望に応じて、インデックスプリントやワレットプリントなど、１出力単位（印画紙１枚）に対して複数の画像を小サイズでプリントする際、取り込んだ全画像についてだけでなく、選択画像についてのみを対象としたインデックスプリント／ワレットプリントの出力をも可能に構成したので、出力態様の選択の幅が広がり、顧客サービスが広がる。たとえば、非選択画像をインデックプリントやワレットプリントの対象画像にするか否かの設定が可能となり、プリント注文端末（本例の画像出力発注装置３）や写真プリンタ（本例の画像出力サービス供給装置２）における、インデックスプリント／ワレットプリントの選択の幅が広がる。
【０１３３】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０１３４】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０１３５】
たとえば、操作手順を説明した図５や図７においては、出力対象の画像を表示デバイス上に並べて出力（表示出力）する際の配列順の切替えについて説明したが、並替えの順の対象となる出力は表示出力に限定されず、たとえばプリンタ部２７によるプリント出力上の画像であってもよいし、記録メディア２０２などの画像記録媒体にデータ記録する際のデータ上の画像であってもよい。
【図面の簡単な説明】
【０１３６】
【図１】本発明に係る画像入出力制御装置の一実施形態を備えた画像出力サービスシステムの概要を示す図である。
【図２】画像出力サービス供給装置および画像出力発注装置のハードウェア構成例を示すブロック図である。
【図３】画像出力サービス供給装置や画像出力発注装置を、電子計算機を用いて構成する場合のハードウェア構成の一例を示す図である。
【図４】コンピュータ装置における、画像出力サービス供給装置および画像出力発注装置の描画展開処理機能と画像入出力制御機能に着目した機能ブロック図である。
【図５】画像出力サービス供給装置２や画像出力発注装置３における操作処理手順の一例を示すフローチャートである。
【図６】図５に示す操作手順においてユーザに提示される画像入力ソース選択メニュー画面の一例を示す図である。
【図７】画像選択処理手順（Ｓ１３０，Ｓ１５０，Ｓ１７０）の詳細例を示すフローチャートである。
【図８】図７に示す画像選択処理手順においてユーザに提示されるＧＵＩ画面（画像選択メニュー画面）の一例を示す図である。
【図９】図７に示す画像選択処理手順においてユーザに提示されるＧＵＩ画面（選択途中の画像選択メニュー画面）の一例を示す図である。
【図１０】図７に示す画像選択処理手順においてユーザに提示されるＧＵＩ画面（ソート後の画面）の一例を示す図である。
【図１１】図７に示す画像選択処理手順においてユーザに提示されるＧＵＩ画面（付加プリント指定画面）の一例を示す図である。
【図１２】インデックスプリントの一例を示す図である。
【図１３】ワレットプリントの一例を示す図である。
【符号の説明】
【０１３７】
１…画像出力サービスシステム、２…画像出力サービス供給装置、３…画像出力発注装置、２２…ディスプレイ部、２３…メディアユニット部、２４…操作部、２４ａ…タッチパネル、２５…課金処理部、２７…プリンタ部、２８…中央制御部、９…ネットワーク、１００…コンピュータ装置、１１０…ＣＰＵ、１１２…画像取込部、１１４…画像処理部、１２０…入入出力制御部、１２３…出力順設定部、１２６…表示制御部、１２８…指示受付部、１３０…ＲＯＭ、１４０…ＲＡＭ、１５０…ディスプレイＩ／Ｆ部、１５２…入力Ｉ／Ｆ部、１５４…プリンタＩ／Ｆ部、１５６…スキャナＩ／Ｆ部、１５７…課金Ｉ／Ｆ部、１５８…ネットワークＩ／Ｆ部、１６０…処理回路、１７０…メモリＩＦ部、１７２…メモリリーダ、１７３…メモリライタ、１７４…ハードディスク装置、１７６…フレキシブルディスクドライブ、１７８…ＣＤ−ＲＯＭドライブ、１８０…内部バス、１９０…スキャナ装置、２０２…記録メディア
【図１】
2008141778.tif 000003
【図２】
2008141778.tif 000004
【図３】
2008141778.tif 000005
【図４】
2008141778.tif 000006
【図５】
2008141778.tif 000007
【図６】
2008141778.tif 000008
【図７】
2008141778.tif 000009
【図８】
2008141778.tif 000010
【図９】
2008141778.tif 000011
【図１０】
2008141778.tif 000012
【図１１】
2008141778.tif 000013
【図１２】
2008141778.tif 000014
【図１３】
2008141778.tif 000015
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
所定の画像入力ソースから画像を取り込み、この取り込んだ画像を所定の画像出力ソースにて出力する画像入出力制御方法であって、前記画像入力ソースから取り込んだ全ての画像を出力対象とするか、選択された画像を出力対象とするかの指示を受け付け、前記画像入力ソースから取り込んだ複数の画像のうちの前記指示に従った出力対象の画像または前記取り込んだ全ての画像を、前記画像出力ソースの１つの出力媒体上にインデックス出力する
ことを特徴とする画像入出力制御方法。
【請求項２】
所定の画像入力ソースから画像を取り込み、この取り込んだ画像を所定の画像出力ソースにて出力する画像入出力制御装置であって、前記画像入力ソースから取り込んだ全ての画像を出力対象とするか、選択された画像を出力対象とするかの指示を受け付ける指示受付部と、
前記画像入力ソースから取り込んだ複数の画像のうちの前記指示受付部が受け付けた指示に従った出力対象の画像または前記取り込んだ全ての画像を、前記画像出力ソースの１つの出力媒体上にインデックス出力させる出力順設定部と
を備えたことを特徴とする画像入出力制御装置。
【請求項３】
前記出力対象の画像を表示出力する前記画像出力ソースとしての表示デバイスを制御する表示制御部を備え、
前記出力順設定部は、前記表示デバイスにおける前記出力順を並び替えるように前記表示制御部を制御する
ことを特徴とする請求項２に記載の画像入出力制御装置。
【請求項４】
前記出力順設定部は、前記指示受付部が選択指示を受け付けた前記出力対象画像の選択順に従って、前記出力順を並び替えさせることを特徴とする請求項２に記載の画像入出力制御装置。
【請求項５】
前記画像出力ソースとしての、前記出力対象の画像を指定された枚数だけ所定の印刷媒体上に出力する画像形成部を備え、前記指示受付部は、前記出力対象として選択された画像の前記画像形成部による出力数の指示を受け付け、前記出力順設定部は、前記指示受付部が指示を受け付けた前記出力数の順に従って、前記出力順を並び替えさせることを特徴とする請求項２に記載の画像入出力制御装置。
【請求項６】
前記出力対象の画像を表示出力する前記画像出力ソースとしての表示デバイスを制御する表示制御部を備え、前記出力順設定部は、前記表示デバイスにおける前記出力順を並び替えるように前記表示制御部を制御する  ことを特徴とする請求項５に記載の画像入出力制御装置。
【請求項７】
所定の画像入力ソースから画像を取り込み、この取り込んだ画像を所定の画像出力ソースにて出力する処理をコンピュータを用いて実行するためのプログラムであって、
コンピュータを、
前記画像入力ソースから取り込んだ全ての画像を出力対象とするか、選択された画像を出力対象とするかの指示を受け付ける指示受付部と、前記画像入力ソースから取り込んだ複数の画像のうちの前記指示受付部が受け付けた指示に従った出力対象の画像または前記取り込んだ全ての画像を、前記画像出力ソースの１つの出力媒体上にインデックス出力させる出力順設定部と
して機能させることを特徴とするプログラム。
【手続補正２】
【補正対象書類名】明細書
【補正対象項目名】０００９
【補正方法】変更
【補正の内容】
【０００９】
本発明に係る画像入出力制御方法においては、画像入力ソースから取り込んだ全ての画像を出力対象とするか、選択された画像を出力対象とするかの指示を先ず受け付けてから、画像入力ソースから取り込んだ複数の画像のうちのユーザ指示に従った出力対象の画像または取り込んだ全ての画像を、画像出力ソースの１つの出力媒体上にインデックス出力することとした。
【手続補正３】
【補正対象書類名】明細書
【補正対象項目名】００１１
【補正方法】変更
【補正の内容】
【００１１】
また、本発明に係る画像入出力制御装置は、本発明に係る画像入出力制御方法を実施するのに好適な装置であって、画像入力ソースから取り込んだ全ての画像を出力対象とするか選択された画像を出力対象とするかの指示を受け付ける指示受付部と、画像入力ソースから取り込んだ複数の画像のうちの指示受付部が受け付けた指示に従った出力対象の画像または取り込んだ全ての画像を、画像出力ソースの１つの出力媒体上にインデックス出力させる出力順設定部とを備えるものとした。
【手続補正４】
【補正対象書類名】明細書
【補正対象項目名】００１４
【補正方法】変更
【補正の内容】
【００１４】
本発明の構成に依れば、全画像を出力対象とするか選択画像を出力対象とするかの指示を先ず受け付けてから、出力対象の画像または取り込んだ全ての画像を１つの出力媒体上にインデックス出力することを可能にしたので、出力態様の選択の幅が広がり、顧客サービスが広がり、使い勝手がよくなる。